(57)【要約】【課題】結合されるディスプレイから発生する様々なノイズを遮蔽して、作動性能及び駆動の信頼性を確保することができるタッチパネル及びその製造方法を提供する。【解決手段】本発明のタッチパネルは、透明基板１０と、透明基板１０上で絶縁されるように区画された少なくとも一つ以上のブリッジ電極パターン２１が形成された導電性のノイズ遮蔽層２０と、ノイズ遮蔽層２０上に形成されており、ブリッジ電極パターン２１の両端が露出されるようにブリッジ電極パターン２１上に形成されたブリッジ絶縁パターン３１が形成された絶縁層３０と、絶縁層３０上に形成されており、ブリッジ電極パターン２１の両端にそれぞれ接続されて、一方向に互いに電気的に連結される第１電極パターン４１と、第１電極パターン４１と互いに交差し、ブリッジ絶縁パターン３１上で互いに電気的に連結されるように絶縁層３０上に一方向に形成される第２電極パターン４２と、を含むものである。【選択図】図１
2014123371.tif 000002
【特許請求の範囲】
【請求項１】
透明基板と、
前記透明基板上で絶縁されるように区画された少なくとも一つ以上のブリッジ電極パターンが形成された導電性のノイズ遮蔽層と、
前記ノイズ遮蔽層上に形成されており、前記ブリッジ電極パターンの両端が露出されるように前記ブリッジ電極パターン上に形成されたブリッジ絶縁パターンが形成された絶縁層と、
前記絶縁層上に形成されており、前記ブリッジ電極パターンの両端にそれぞれ接続されて、一方向に互いに電気的に連結される第１電極パターンと、
前記第１電極パターンと互いに交差し、前記ブリッジ絶縁パターン上で互いに電気的に連結されるように前記絶縁層上に一方向に形成される第２電極パターンと、を含むタッチパネル。
【請求項２】
前記ブリッジ電極パターンは、前記ノイズ遮蔽層上にパターニングされて絶縁されるように形成される、請求項１に記載のタッチパネル。
【請求項３】
前記ブリッジ絶縁パターンは、前記絶縁層上にパターニングされて、前記ブリッジ電極の両端が露出されて前記第１電極パターン間の電気的な連結のために接触される、請求項１に記載のタッチパネル。
【請求項４】
前記第１電極パターン及び前記第２電極パターンは、多角形状に形成され、メッシュパターンからなる、請求項１に記載のタッチパネル。
【請求項５】
前記ノイズ遮蔽層は、前記第１電極パターン及び前記第２電極パターンと同一の材質で形成される、請求項１に記載のタッチパネル。
【請求項６】
前記ブリッジ電極パターンは、前記ノイズ遮蔽層上に電気的に絶縁されるように区画されて少なくとも一つ以上が形成されるとともに、前記第１電極パターン及び前記第２電極パターンが交差される領域上に形成される、請求項１に記載のタッチパネル。
【請求項７】
前記ブリッジ絶縁パターンは、前記ブリッジ電極パターン上に形成され、前記第１電極パターンまたは前記第２電極パターンのうち前記ブリッジ電極パターンに連結されない何れか一つの電極パターンの電気的連結を前記ブリッジ電極パターンと絶縁させるように形成される、請求項６に記載のタッチパネル。
【請求項８】
透明基板を準備する段階と、
前記透明基板上に、ブリッジ電極パターンが形成されたノイズ遮蔽層を形成する段階と、
前記ノイズ遮蔽層上に形成されており、前記ブリッジ電極パターンと対応するパターン部が露出されて、露出されたパターン部上に前記ブリッジ電極パターンの両端のみが露出されるように一方向に連結されるブリッジ絶縁パターンが形成された絶縁層を形成する段階と、
前記絶縁層上に形成されており、前記ブリッジ電極パターンの両側端に接続されて互いに電気的に連結される第１電極パターンを形成する段階と、
前記第１電極パターンと交差して形成されており、前記ブリッジ電極パターン上に形成された前記ブリッジ絶縁パターン上で互いに電気的に連結されるように第２電極パターンを形成する段階と、を含むタッチパネルの製造方法。
【請求項９】
前記ブリッジ電極パターンは、前記ノイズ遮蔽層上にパターニングされて絶縁されるように形成される、請求項８に記載のタッチパネルの製造方法。
【請求項１０】
前記第１電極パターン及び前記第２電極パターンは、多角形状に形成され、メッシュパターンからなる、請求項８に記載のタッチパネルの製造方法。
【請求項１１】
前記ノイズ遮蔽層は、前記第１電極パターン及び第２電極パターンと同一の材質で形成される、請求項８に記載のタッチパネルの製造方法。
【発明の詳細な説明】
【技術分野】
【０００１】
本発明は、タッチパネル及びその製造方法に関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在、入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、タッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
また、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在、もっとも幅広い分野で用いられている方式は、抵抗膜方式タッチパネル及び静電容量方式タッチパネルである。
【０００７】
一方、特許文献１に開示されているように、従来のタッチパネルとディスプレイパネルが結合される場合、ディスプレイから出力される映像信号などにより、ユーザがタッチパネルをタッチする際に発生する様々なノイズによってタッチ座標点が正確に認識されないという問題点や、タッチ駆動の信頼性が劣るなどの様々な問題点があった。
【先行技術文献】
【特許文献】
【０００８】
【特許文献１】米国特許出願公開第２０１２／０２６８４１８号明細書
【発明の概要】
【発明が解決しようとする課題】
【０００９】
本発明は、上記の従来技術の問題点を解消するためのものであって、本発明の一側面は、タッチパネルの基板と電極パターンとの間にノイズ遮蔽層を形成することにより、タッチパネルに結合されるディスプレイから発生する様々なノイズを遮蔽して、タッチパネルの作動性能及び駆動の信頼性を確保することができるタッチパネル及びその製造方法を提供することを目的とする。
【課題を解決するための手段】
【００１０】
本発明の一実施例によるタッチパネルは、透明基板と、前記透明基板上で絶縁されるように区画された少なくとも一つ以上のブリッジ電極パターンが形成された導電性のノイズ遮蔽層と、前記ノイズ遮蔽層上に形成されており、前記ブリッジ電極パターンの両端が露出されるように前記ブリッジ電極パターン上に形成されたブリッジ絶縁パターンが形成された絶縁層と、前記絶縁層上に形成されており、前記ブリッジ電極パターンの両端にそれぞれ接続されて、一方向に互いに電気的に連結される第１電極パターンと、前記第１電極パターンと互いに交差し、前記ブリッジ絶縁パターン上で互いに電気的に連結されるように前記絶縁層上に一方向に形成される第２電極パターンと、を含むものである。
【００１１】
本発明の一実施例によるタッチパネルにおいて、前記ブリッジ電極パターンは、前記ノイズ遮蔽層上にパターニングされて絶縁されるように形成されることができる。
【００１２】
本発明の一実施例によるタッチパネルにおいて、前記ブリッジ絶縁パターンは、前記絶縁層上にパターニングされて、前記ブリッジ電極の両端が露出されて前記第１電極パターン間の電気的な連結のために接触されることができる。
【００１３】
本発明の一実施例によるタッチパネルにおいて、前記第１電極パターン及び前記第２電極パターンは、多角形状に形成されるとともに、メッシュパターンからなることができる。
【００１４】
本発明の一実施例によるタッチパネルにおいて、前記ノイズ遮蔽層は、前記第１電極パターン及び前記第２電極パターンと同一の材質で形成されることができる。
【００１５】
本発明の一実施例によるタッチパネルにおいて、前記ブリッジ電極パターンは、前記ノイズ遮蔽層上に電気的に絶縁されるように区画されて少なくとも一つ以上が形成され、前記第１電極パターン及び前記第２電極パターンが交差される領域上に形成されることができる。
【００１６】
本発明の一実施例によるタッチパネルにおいて、前記ブリッジ絶縁パターンは、前記ブリッジ電極パターン上に形成され、前記第１電極パターンまたは前記第２電極パターンのうち前記ブリッジ電極パターンに連結されない何れか一つの電極パターンの電気的連結を前記ブリッジ電極パターンと絶縁させるように形成されることができる。
【００１７】
本発明の一実施例によるタッチパネルの製造方法は、透明基板を準備する段階と、前記透明基板上に、ブリッジ電極パターンが形成されたノイズ遮蔽層を形成する段階と、前記ノイズ遮蔽層上に形成されており、前記ブリッジ電極パターンと対応するパターン部が露出されて、露出されたパターン部上に前記ブリッジ電極パターンの両端のみが露出されるように一方向に連結されるブリッジ絶縁パターンが形成された絶縁層を形成する段階と、前記絶縁層上に形成されており、前記ブリッジ電極パターンの両側端に接続されて互いに電気的に連結される第１電極パターンを形成する段階と、前記第１電極パターンと交差して形成されており、前記ブリッジ電極パターン上に形成された前記ブリッジ絶縁パターン上で互いに電気的に連結されるように第２電極パターンを形成する段階と、を含むものである。
【００１８】
本発明の一実施例によるタッチパネルの製造方法において、前記ブリッジ電極パターンは、前記ノイズ遮蔽層上にパターニングされて絶縁されるように形成されることができる。
【００１９】
本発明の一実施例によるタッチパネルの製造方法において、前記第１電極パターン及び前記第２電極パターンは、多角形状に形成され、メッシュパターンからなることを特徴とする。
【００２０】
本発明の一実施例によるタッチパネルの製造方法において、前記ノイズ遮蔽層は、前記第１電極パターン及び第２電極パターンと同一の材質で形成されることができる。
【発明の効果】
【００２１】
本発明によると、透明基板と電極パターンとの間にノイズ遮蔽層を形成することにより、タッチパネルに結合されるディスプレイから発生するノイズを遮蔽して、タッチパネルの作動性能及び駆動の信頼性を向上させることができる効果がある。
【００２２】
また、透明基板上に形成されるノイズ遮蔽層上に、一定部分を区画して絶縁させた多数のブリッジ電極パターンを形成して、透明基板上に形成される第１電極パターン及び第２電極パターンが互いに交差する部分での何れか一つの電極パターンが電気的に連結されるようにすることで、一つの透明基板の同一平面上に形成された第１電極パターンと第２電極パターンの電気的信頼性を向上させることができる効果がある。
【００２３】
また、ノイズ遮蔽層上に絶縁層を形成し、ブリッジ電極パターンが電極パターンと電気的に連結される両端部の間を連結させるブリッジ絶縁パターンを形成して、ブリッジ電極パターンに連結される電極パターンと交差される他の電極パターンがブリッジ絶縁パターン上に電気的に連結されるようにすることで、タッチパネルの電極パターンの形成における信頼性を向上させることができる効果がある。
【００２４】
また、透明基板の同一平面上で互いに交差される第１電極パターンと第２電極パターンの電気的信頼性を向上させ、タッチパネルに結合されるディスプレイから発生するノイズを遮蔽することができるノイズ遮蔽層をともに形成することにより、タッチパネルの構造的信頼性とともに、タッチパネルの製造方法における容易性及び生産性をさらに向上させることができる効果がある。
【図面の簡単な説明】
【００２５】
【図１】本発明の一実施例によるタッチパネルの断面図である。
【図２】本発明の一実施例によるタッチパネルの製造方法において、ノイズ遮蔽層を形成する工程を示すタッチパネルの平面図である。
【図３】本発明の一実施例によるタッチパネルの製造方法において、ノイズ遮蔽層を形成する工程を示すタッチパネルの断面図（図２のＡ−Ａ’断面図）である。
【図４】本発明の一実施例によるタッチパネルの製造方法において、ノイズ遮蔽層上に絶縁層を形成する工程を示すタッチパネルの平面図である。
【図５】本発明の一実施例によるタッチパネルの製造方法において、ノイズ遮蔽層上に絶縁層を形成する工程を示すタッチパネルの断面図（図４のＢ−Ｂ’断面図）である。
【図６】本発明の一実施例によるタッチパネルの製造方法において、絶縁層上に電極パターンを形成する工程を示すタッチパネルの平面図である。
【図７】本発明の一実施例によるタッチパネルの製造方法において、絶縁層上に電極パターンを形成する工程を示すタッチパネルの断面図（図６のＣ−Ｃ’断面図）である。
【発明を実施するための形態】
【００２６】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２７】
以下、添付図面を参照して、本発明の好ましい実施例を詳細に説明する。
【００２８】
図１は、本発明の一実施例によるタッチパネルの断面図である。
【００２９】
図１に図示されたように、本発明の一実施例によるタッチパネルは、透明基板１０と、前記透明基板１０上で絶縁されるように区画された少なくとも一つ以上のブリッジ電極パターン２１が形成された導電性のノイズ遮蔽層２０と、前記ノイズ遮蔽層２０上に形成されており、前記ブリッジ電極パターン２１の両端が露出されるように前記ブリッジ電極パターン２１上に形成されたブリッジ絶縁パターン３１が形成された絶縁層３０と、前記絶縁層３０上に形成されており、前記ブリッジ電極パターン２１の両端にそれぞれ接続されて、一方向に互いに電気的に連結される第１電極パターン４１と、前記第１電極パターン４１と互いに交差し、前記ブリッジ絶縁パターン３１上で互いに電気的に連結されるように前記絶縁層３０上に一方向に形成される第２電極パターン４２と、を含むものである。
【００３０】
透明基板１０は、所定程度以上の強度を有する材質であれば特に限定されないが、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましい。また、透明基板１０の一面には、透明電極が形成されることができる。この際、透明基板１０と透明電極との接着力を向上させるために、透明基板１０の一面に高周波処理またはプライマー（ｐｒｉｍｅｒ）処理などを行って表面処理層を形成することができる。
【００３１】
ノイズ遮蔽層２０は、透明基板１０上に形成され、導電性物質からなることができる。ノイズ遮蔽層２０は、透明基板１０と後述（図６参照）する電極パターン４０との間に配置されることにより、タッチパネルの下部に配置されるディスプレイから発生する様々なノイズを遮蔽して、タッチパネルの電気的信頼性をさらに向上させることができる。ノイズ遮蔽層２０は、電極パターン４０と同一の物質または異なる物質で形成されることができ、同一の材質で形成されることがタッチパネルの視認性の点でより好ましい。ノイズ遮蔽層２０上には、電気的に絶縁された独立パターンとして、電極パターン４０の電気的な連結のためのブリッジ電極パターン２１を形成することができる。
【００３２】
ブリッジ電極パターン２１は、図２に図示されたように、ノイズ遮蔽層２０上で独立的に絶縁されるように区画されて、一定のパターン形状を有して少なくとも一つ以上に形成されることができる。このようなブリッジ電極パターン２１は、後述（図６参照）する第１電極パターン４１と第２電極パターン４２のうち何れか一つが形成される一方向に電極パターン４０を電気的に連結するためのものである。第１電極パターン４１または第２電極パターン４２が交差されるように形成される際に、そのうち何れか一つの電極パターン４０が形成される一方向に電気的な連結を遂行することができる。図２では、ブリッジ電極パターン２１が一定の離隔空間により囲まれて絶縁されるようにパターニングして形成されているが、このような絶縁方法の他にも様々な方法が適用されることができる。図面（図６及び図７参照）では、第１電極パターン４１が形成される一方向に第１電極パターン４１と交差される領域で電気的に連結されるように形成されるものであるため、第２電極パターン４２は、後述するブリッジ絶縁パターン３１上で電気的に連結されることができる。このような第１電極パターン及び第２電極パターンの電気的な連結は、互いに置換されて形成されることができることは勿論である。
【００３３】
絶縁層３０は、ノイズ遮蔽層２０上に形成されることができる（図５参照）。絶縁層３０は、ノイズ遮蔽層２０上に異物やその他の同一の材質の電極パターン４０が積層される際に、電極パターン４０との接着力が低下することを防止することができる。また、絶縁層３０上にブリッジ絶縁パターン３１を形成することにより、第１電極パターン４１と第２電極パターン４２が透明基板１０の同一平面上で互いに交差されて形成されることができる。絶縁層３０を形成する材質は、絶縁性物質であって、タッチパネルの視認性の信頼性を確保するための透明な材質の絶縁組成物で形成されることが好ましいが、後述する電極パターン４０のようなメッシュタイプのパターンに形成される場合には、不透明な材質を用いる場合にも、細線による網状に形成されることができることは勿論である。
【００３４】
ブリッジ絶縁パターン３１は、ブリッジ電極パターン２１上に形成されることができ、絶縁層３０の形成と同時にパターニングされて形成されることができる。第１電極パターン４１と第２電極パターン４２が交差される領域で、第１電極パターン４１がブリッジ電極パターン２１の両端に電気的に連結される際に、ブリッジ電極パターン２１の両端の接触部２１ａの間に第２電極パターン４２の形成方向にブリッジ絶縁パターン３１が連結されることにより、ブリッジ絶縁パターン３１上で第２電極パターン４２が電気的に連結されることができる。従って、第１電極パターン４１と第２電極パターン４２が透明基板１０の同一平面上に形成される際に、互いに交差される領域での絶縁及び電気的な連結を同時に具現することができる。ブリッジ絶縁パターン３１は、一例として、図４に図示されたように、ブリッジ電極パターン２１が第１電極パターン４１を電気的に連結するための両端の接触部２１ａを除いて、第２電極パターン４２が形成される一方向に連結されるように絶縁層３０上にパターニングされることにより、ブリッジ絶縁パターン３１上で第２電極パターン４２が互いに電気的に連結されることができる。
【００３５】
第１電極パターン４１と第２電極パターン４２は、互いに交差されるように形成されることができる（図６参照）。即ち、第１電極パターン４１がＸ方向のパターンである場合、第２電極パターン４２はＹ軸方向のパターンに形成されることができる。第１電極パターン４１及び第２電極パターン４２は、ユーザがタッチする際に信号を発生させて、コントローラでタッチ座標を認識できるようにする役割を遂行するものである。ここで、電極パターン４０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、またはこれらの組合せを用いて、メッシュパターン（Ｍｅｓｈ  Ｐａｔｔｅｒｎ）に形成されることができる。この際、電極パターン４０は、メッキ工程またはスパッタ（Ｓｐｕｔｔｅｒ）を用いた蒸着工程により形成することができる。一方、電極パターン４０を銅（Ｃｕ）で形成する場合、電極パターン４０の表面は黒化処理されることができる。ここで、黒化処理とは、電極パターン４０の表面を酸化させてＣｕ２ＯまたはＣｕＯを析出させることであり、Ｃｕ２Ｏは茶色を呈するためブラウンオキサイド（Ｂｌｏｗｎ  Ｏｘｉｄｅ）といい、ＣｕＯは黒色を呈するためブラックオキサイド（Ｂｌａｃｋ  Ｏｘｉｄｅ）という。このように、電極パターン４０の表面を黒化処理することにより、光が反射することを防止することができ、それによってタッチパネルの視認性を改善させることができる。
【００３６】
一方、上述の金属の他にも、電極パターン４０は銀塩乳剤層を露光／現像して形成された金属を用いて形成してもよく、導電性を有する金属でメッシュパターンを形成することができる様々な種類の物質が選択され得ることは当業者において自明である。
【００３７】
一方、電極パターン４０は、図面では、棒形のパターンに形成されているが、これに限定されず、電極パターン４０は、菱形パターン、四角形パターン、三角形パターン、円形パターンなど当業界に公知された全てのパターンに形成されることができる。
【００３８】
特に、本発明は、図７に図示されたように、透明基板１０の同一平面上に第１電極パターン４１及び第２電極パターン４２を形成するものであって、菱形パターンなどの多角形パターンに形成されることができる。
【００３９】
図２及び図３は、本発明の一実施例によるタッチパネルの製造方法において、ノイズ遮蔽層２０を形成する工程を示すタッチパネルの平面図及び断面図（図２のＡ−Ａ’断面図）であり、図４及び図５は、本発明の一実施例によるタッチパネルの製造方法において、ノイズ遮蔽層２０上に絶縁層３０を形成する工程を示すタッチパネルの平面図及び断面図（図４のＢ−Ｂ’断面図）であり、図６及び図７は、本発明の一実施例によるタッチパネルの製造方法において、絶縁層３０上に電極パターン４０を形成する工程を示すタッチパネルの平面図及び断面図（図６のＣ−Ｃ’断面図）である。
【００４０】
本発明の一実施例によるタッチパネルの製造方法は、透明基板１０を準備する段階と、前記透明基板１０上に、ブリッジ電極パターン２１が形成されたノイズ遮蔽層２０を形成する段階と、前記ノイズ遮蔽層２０上に形成されており、前記ブリッジ電極パターン２１と対応するパターン部が露出されて、露出されたパターン部上に前記ブリッジ電極パターン２１の両端のみが露出されるように一方向に連結されるブリッジ絶縁パターン３１が形成された絶縁層３０を形成する段階と、前記絶縁層３０上に形成されており、前記ブリッジ電極パターン２１の両側端に接続されて、互いに電気的に連結される第１電極パターン４１を形成する段階と、前記第１電極パターン４１と交差して形成されており、前記ブリッジ電極パターン２１上に形成された前記ブリッジ絶縁パターン３１上で互いに電気的に連結されるように第２電極パターン４２を形成する段階と、を含むものである。
【００４１】
図２及び図３に図示されたように、まず、準備された透明基板１０上に、ブリッジ電極パターン２１が形成されたノイズ遮蔽層２０を形成することができる。ノイズ遮蔽層２０は、透明基板１０上に形成され、導電性物質からなることができる。ノイズ遮蔽層２０は、透明基板１０と電極パターン４０との間に配置されることにより、タッチパネルの下部に配置されるディスプレイで発生する様々なノイズを遮蔽することができる。ブリッジ電極パターン２１は、図２に図示されたように、ノイズ遮蔽層２０上で絶縁されるように区画されてパターニングされて形成されることができる。このようなブリッジ電極パターン２１は、後でブリッジ絶縁パターン３１とともに形成されることにより、第１電極パターン４１と第２電極パターン４２の交差領域での各電極パターン４０間の電気的な連結を可能にする。
【００４２】
次に、図４及び図５に図示されたように、ノイズ遮蔽層２０上に絶縁層３０を形成する。絶縁層３０は、ブリッジ絶縁パターン３１が形成されるようにパターンされてノイズ遮蔽層２０上に形成される。ここで、ブリッジ絶縁パターン３１は、ブリッジ電極パターン２１上に形成されるとともに、ブリッジ電極パターン２１に連結される第１電極パターン４１が互いに接触される両端方向と交差されるように、ブリッジ電極パターン２１の中央部を横切って形成されることができる。ブリッジ絶縁パターン３１は、結局、後述する第２電極パターン４２がブリッジ電極パターン２１と絶縁されるとともに、ブリッジ絶縁パターン３１上で互いに電気的に連結されるようにするためのものである。
【００４３】
次に、図６及び図７に図示されたように、第１電極パターン４１と第２電極パターン４２を互いに交差される方向に形成する段階である。第１電極パターン４１は、絶縁層３０上に形成されるとともに、ブリッジ電極パターン２１の両端部の接触部２１ａにそれぞれ接続されることにより、第１電極パターン４１が形成される一方向に第１電極パターン４１間の電気的な連結が具現されることができる。上述したように、ブリッジ絶縁パターン３１がブリッジ電極パターン２１上に形成されるとともに、ブリッジ電極パターン２１の両端方向にそれぞれ第１電極パターン４１間の電気的連結がなされることができる。
【００４４】
第２電極パターン４２は、第１電極パターン４１と垂直に交差されるように形成されることができる。第２電極パターン４２が第１電極パターン４１と同一の平面上で交差して形成されることにより、第１電極パターン４１との交差領域の絶縁が重要な問題となる。従って、第１電極パターン４１と第２電極パターン４２が交差される領域であるブリッジ電極パターン２１上に、ブリッジ絶縁パターン３１を第２電極パターン４２の形成方向に形成する。第１電極パターン４１は、ブリッジ電極パターン２１に電気的に連結されるとともに、ブリッジ電極パターン２１と絶縁され、第２電極パターン４２の形成方向に延びるブリッジ絶縁パターン３１上で第２電極パターン４２が電気的に連結されるように形成されることができる。結局、透明基板１０の一面上で第１電極パターン４１と第２電極パターン４２が交差されて、ともに形成されることにより、タッチパネルをさらに薄型化するとともに、タッチパネルの作動性能及び駆動の信頼性を向上させることができる。
【００４５】
ここで、第１電極パターン４１と第２電極パターン４２は、任意に区分したものであって、ブリッジ電極パターン２１やブリッジ絶縁パターン３１に電気的に連結される電極パターン４０は、任意に選択、適用されることができる。
【００４６】
その他に、本発明の一実施例によるタッチパネルと対応する各構成についての説明は重複されるため、ここでは省略する。
【００４７】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００４８】
本発明の単純な変形乃至変更はいずれも本発明の領域に属するものであり、本発明の具体的な保護範囲は添付の特許請求の範囲により明確になるであろう。
【産業上の利用可能性】
【００４９】
本発明は、タッチパネル及びその製造方法に適用可能である。
【符号の説明】
【００５０】
１０  透明基板
２０  ノイズ遮蔽層
２１  ブリッジ電極パターン
２１ａ  接触部
３０  絶縁層
３１  ブリッジ絶縁パターン
４０  電極パターン
４１  第１電極パターン
４２  第２電極パターン
【図１】
2014123371.tif 000003
【図２】
2014123371.tif 000004
【図３】
2014123371.tif 000005
【図４】
2014123371.tif 000006
【図５】
2014123371.tif 000007
【図６】
2014123371.tif 000008
【図７】
2014123371.tif 000009